(57)【要約】【課題】冷凍機の寒冷で凍結細胞の質を担保できる冷凍温度以下で凍結細胞を輸送でき、かつ製造コストが安価な、簡易冷凍機一体型保冷容器を提供することにある。【解決手段】本発明は、断熱容器を、大気側から挿入する凍結細胞入りのカプセルを収納した収納容器と冷凍機の冷却ステージを熱的に一体化し、冷凍機の冷却部、冷却ステージの一部を断熱空間に包含する第一断熱容器と、第一断熱容器の一部と、前記冷却ステージの一部と、前記冷却ステージの一部に熱的に接続された前記被冷却体を包含する第二断熱容器に２分割し、第一断熱容器が第二断熱容器の内側に大気中で容易に装着、脱離可能な構造とした。【選択図】図１
2015017792.tif 000002
【特許請求の範囲】
【請求項１】
被冷却体を冷凍機の寒冷で冷却する冷凍機一体型保冷容器において、
前記冷凍機の冷却部と、前記冷却部と熱的に一体化された冷却ステージを有し、
前記冷凍機の冷却部と、前記冷却ステージの一部を、断熱空間に包含する第一断熱容器と、
前記第一断熱容器の一部と、前記冷却ステージの一部と、前記冷却ステージの一部に熱的に接続された前記被冷却体を包含する被冷却体保持空間を、内側に有する第二断熱容器を有し、
前記第二断熱容器の内側に前記第一断熱容器を大気中で装着、脱離可能な構造である
ことを特徴とする冷凍機一体型保冷容器。
【請求項２】
前記断熱空間の冷却ステージ側に前記冷凍機の冷却部を配置し、
前記冷凍機への作動流体の配管を前記断熱空間内に配置した構造である
ことを特徴とする請求項１記載の冷凍機一体型保冷容器。
【請求項３】
前記冷却ステージに熱的に接続された被冷却体を支持する前記第一断熱容器を、支持台に固定保持し、
前記第二断熱容器を前記第一断熱容器に装着、脱離可能な構造である
ことを特徴とする請求項１および請求項２記載の冷凍機一体型保冷容器。
【請求項４】
前記第一断熱容器および前記第二断熱容器の大気に接し、かつ大気温度より温度が低い部位に、
前記冷凍機の排熱で加温された空気が接するように流動される流路を設けた
ことを特徴とする請求項１、請求項２および請求項３記載の冷凍機一体型保冷容器。
【発明の詳細な説明】
【技術分野】
【０００１】
本発明は保冷容器に係り、とくに、細胞等の被冷却体を凍結保持して移送可能な保冷容器において、被冷却体の装着、離脱が容易な、簡易冷凍機一体型保冷容器に関するものである。
【背景技術】
【０００２】
従来、例えば牛や馬の精子等の細胞は、例えばプラスチック製のカプセル内に内蔵され、カプセルごと例えば液体窒素中に投入され、細胞は瞬時に凍結されて細胞を供給する供給センター内で液体窒素中や、-１５０℃以下の冷凍庫で長期保存されている。
【０００３】
この凍結細胞を内蔵したカプセルを凍結温度に維持して長距離を輸送できる保冷容器として、冷凍機と保冷容器を一体化した冷凍機一体型保冷容器の開発が進められている。
【０００４】
特に、凍結細胞は輸送途中に温度が上昇すると細胞の質が変化して損傷してしまうため、冷凍機の寒冷で常に冷凍温度以下に冷却されなければならず、良好な冷却性能を有し、かつ製造コストが安価な、簡易冷凍機一体型保冷容器の提供が求められている。
【０００５】
外筒容器及び内筒容器で構成された真空断熱容器の真空空間において、内筒容器底外面に冷却部が熱的に接続されて配置された冷凍機を使用し、加圧されたヘリウムガスを作動流体とした冷凍機の断熱膨張で寒冷を発生し、前記真空容器の内筒容器底部を前記寒冷で極低温に冷却し、前記内筒容器の内側底部空間に、凍結細胞が内蔵されたカプセルを大気側から挿入する構造が、特開２００９−２８８２３４公報（特許文献１）に開示されている。
【先行技術文献】
【特許文献】
【０００６】
【特許文献１】特開２００９−２８８２３４公報
【発明の概要】
【発明が解決しようとする課題】
【０００７】
しかしながら、特許文献１では、カプセル毎に大気側から挿入するため、冷凍機の冷却ステージで熱的に一体化された内筒容器底部にカプセルが直接接触して接触部が最もよく冷やされるが、カプセルを大気側に取り出す際、一個毎に長尺のピンセットや専用工具を使用しての取り出しが面倒で作業性が悪いために、取り出し途中でカプセル温度が異常に上昇したりする問題があった。
【０００８】
また、前記取り出し操作を容易にするために、カプセル群を収納した収納容器を用いる場合、前記内筒容器の大気開放口から挿入し、底部に収納容器を収納するため、冷凍機で冷却される冷却ステージ部と収納容器間をボルトで締め付けるような熱的接触ができず不十分であるため、両者間に温度差が生じ、カプセル群の冷却温度が前記冷却ステージ部よりもかなり高くなる問題があった。
【０００９】
また、特許文献１では、真空容器の断熱真空空間内に冷凍機を配置するため、冷凍機配置のための専用の真空容器等の断熱容器構造が必要で、製造コストが上昇する問題もあった。また、断熱性能の経年劣化が生じた場合、外筒容器外面も冷却され大気中の水分が結露し、断熱容器下部が濡れる問題もあった。
【００１０】
本発明は上記の事情に鑑みてなされたもので、本発明の目的は、冷凍機の寒冷で凍結細胞の質を担保できる冷凍温度以下で凍結細胞を輸送でき、かつ製造コストが安価な、簡易冷凍機一体型保冷容器を提供することにある。
【課題を解決するための手段】
【００１１】
前述の目的を達成するために、本発明は、大気側から挿入するカプセル群を収納した収納容器と冷凍機の冷却ステージを、熱的に一体化する構造にしたものである。
【００１２】
上記の課題を解決するために、請求項１に記載の簡易冷凍機一体型保冷容器は、冷凍機の冷却ステージ部と収納容器を支持固定するための取付け支持台の端部を、挿入用断熱容器内部に配置し、互いを、熱伝導体を介して熱的に一体化させ、前記取付け支持台の大気側露出端部に収納容器を熱的に一体化し、前記収納容器を他の低温保冷用断熱容器の内筒容器の内底部に大気開放口から挿入する構造を有したことを特徴としたものである。
【００１３】
本簡易冷凍機一体型保冷容器によれば、収納容器を冷凍機の冷却ステージ部に熱伝導体および取付け支持台を介して熱的に一体化できるので、収納容器および内蔵するカプセルと冷却ステージの温度差を小さくすることができ、かつ収納容器の温度を、断熱真空空間を有する低温保冷用断熱容器内に保存できるので、常温からの熱侵入量を防止して、凍結細胞の質を担保できる低温に良好に長時間維持することができる簡易冷凍機一体型保冷容器を提供することが可能となる。
【００１４】
また、冷凍機の冷却ステージ部を内蔵する挿入用断熱容器サイズは、低温保冷用断熱容器より小型になるので製造コストも低減できるとともに、低温保冷用断熱容器は、市販の大量生産された魔法瓶等の真空断熱容器を適用できるので製作コストが低減でき、低コストの簡易冷凍機一体型保冷容器を提供することが可能となる。
【００１５】
請求項２に記載の簡易冷凍機一体型保冷容器によれば、前記冷凍機の冷却ステージ部およびその常温部を挿入用断熱容器内底部に配置し、収納容器を支持固定する取付け支持台の端部と最短の熱伝導体を介して熱的に一体化させた構造を有したことを特徴としたものである。
【００１６】
本構成によれば、取付け支持台を冷凍機の冷却ステージ部に、短尺の熱伝導体を介して熱的に一体化できるので、熱伝導体内での温度差が更に小さくなり、収納容器および内蔵するカプセルと冷却ステージの温度差を更に小さくすることができるので、凍結細胞の質を担保できる性能を向上できる簡易冷凍機一体型保冷容器を提供することが可能となる。
【００１７】
請求項３に記載の簡易冷凍機一体型保冷容器は、挿入用断熱容器を重力方向に上向きで固定し、カプセルの出し入れ際に、保冷用断熱容器を挿入用断熱容器に鞘のように上部から装着、脱離できる構造である。
【００１８】
本構造によれば、収納容器へのカプセルの挿入や、取り出しの際に両手がフリーとなり、更に素早く短時間にカプセルの出し入れが可能となり、カプセルの温度上昇を最小限に押させることができる。
【００１９】
請求項４に記載の簡易冷凍機一体型保冷容器は、挿入用断熱容器や保冷用断熱容器周りに、前記冷凍機の圧縮機部を空冷した空気を循環する構造である。
【００２０】
本構造によれば、保冷用断熱容器や挿入用断熱容器の断熱性能が経年劣化した場合においても、保冷用断熱容器や挿入用断熱容器が大気と接する面に大気中の水分が結露することを防止し、簡易冷凍機一体型保冷容器の底部が水分で濡れることを防止することができる。
【発明の効果】
【００２１】
本発明によれば、冷凍機を使用して細胞の質を担保できる冷凍温度以下に保持し、凍結細胞を冷却輸送でき、かつ操作性に優れ、製造コストが安価な、簡易冷凍機一体型保冷容器を提供することができる。
【図面の簡単な説明】
【００２２】
【図１】本発明の第１実施例の簡易冷凍機一体型保冷容器の構成図である。
【図２】本発明の第２実施例の簡易冷凍機一体型保冷容器の構成図である。
【図３】本発明の第３実施例の簡易冷凍機一体型保冷容器の構成図である。
【図４】本発明の第４実施例の簡易冷凍機一体型保冷容器の構成図である。
【実施例】
【００２３】
以下、本発明の複数の実施例について図を用いて説明する。各実施例の図における同一符号は同一物または相当物を示す。
【００２４】
[実施例１]
【００２５】
本発明の第１実施例の簡易冷凍機一体型保冷容器について、図１を参照しながら、さらに具体的に説明する。図１は本発明の第１実施例の簡易冷凍機一体型保冷容器１の構成図を示す。
【００２６】
本実施例の簡易冷凍機一体型保冷容器１において、例えば牛や馬の精子等の細胞を含む被冷却体の細胞保存液２は、例えばプラスチック製の蓋３付のカプセル４内に内蔵され、細胞を供給する供給センター内でカプセルごと例えば液体窒素中に浸漬され、細胞保存液２は瞬時に凍結され、液体窒素中や、-１５０℃以下の冷凍庫で長期保存されているものである。
【００２７】
複数のカプセル４を収納できる熱伝導率が大きい例えば銅製やアルミニウム製の収納容器５は、カプセル挿入孔６を有し、その上部はボルト７でインジューム等の軟金属シート（図示せず）を介して、熱伝導率が大きい例えば銅製の取付け支持台８の大気側露出端部に熱的に一体化されている。
【００２８】
冷凍機９の作動ガスの断熱膨張で寒冷を発生する断熱膨張冷凍部１０内部は、常温部の作動ガスの給排気孔１１から導管１２を通じて排出される断熱膨張の作動ガスである例えば高圧ヘリウムガスの寒冷の熱交換を行う、例えば非磁性で円盤状の被覆無しの銅線を編んだ銅網の蓄冷材１３を積層した蓄冷蓄冷材を内蔵した非磁性で熱伝導率が小さい材質の例えばエポキシ樹脂製の蓄冷器１４と、断熱膨張の作動ガス圧の差圧で紙面上下方向に移動する蓄冷器１４の作動ガス圧と蓄冷器１４位置との関係を最適化する自励振動用のコイルばね１５と、蓄冷器１４の低温・常温端に設けられ蓄冷器１４内に高低圧の作動ガスが流動する低温ガス連通孔１６と常温ガス連通孔１７で構成される。
【００２９】
断熱膨張冷凍部１０の常温部フランジ１８は、熱伝導率が小さい例えばステンレス鋼製の挿入用断熱容器１９の常温端部フランジ２０と、例えば接合面外周部を気密溶接やＯリングとボルト（図示せず）で気密一体化されている。
【００３０】
断熱膨張冷凍部１０には、大気空間に配置された冷凍機の常温圧縮機部２１から導管１２を通じて、高低圧の作動ガスが周期的に供給、排気される。
【００３１】
挿入用断熱容器１９の底部では、取付け支持台８との接合面を例えば銀ロー等で気密一体化されており、取付け支持台８と、熱伝導率が大きな銅やアルミニウム製の熱伝導体２２の接合面はボルト締結（図示せず）や溶接で熱的に一体化されており、熱伝導体２２と断熱膨張冷凍部１０の冷却ステージ２３とは、柔軟性のあり熱伝導率が大きな素材、例えば銅製の銅網２４を半田付け等で熱的に一体化されている。挿入用断熱容器１９内は、例えば真空配管２５、真空弁２６を通じて外部の真空ポンプ２７で真空排気される。
【００３２】
保冷用断熱容器２８は、外筒容器２９と内筒容器３０で構成され、上部は内筒容器３０のフランジ部３１と外筒容器２９の端部が溶接等で気密一体化されている。
【００３３】
挿入用断熱容器１９は、保冷用断熱容器２８の内筒容器３０内に挿入された後、内筒容器３０端部に装着した締付けナット３２内の雌ねじと勘合する内筒容器３０端部の雄ねじ部３３の締め付け回転で径方向に変形するゴム製の締め付けリング３４で支持固定される。
【００３４】
保冷用断熱容器２８内は、例えば真空配管３５、真空弁３６を通じて外部の真空ポンプ３７で真空排気される。常温圧縮機部２１は、支持体３８を介して架台３９で固定支持され、空冷ファン４０および蓄電器４１は直接に架台３９に固定支持されている。常温圧縮機部２１での発熱は、空冷ファ４０により室温の空気で冷却される。常温圧縮機部２１および空冷ファン４０は、電源ケーブル４２から給電される例えば直流流電源で運転される。
【００３５】
冷凍機９のスターリング式冷凍機の断熱膨張冷凍部１０の冷却ステージ２３での寒冷発生過程を説明する。図１の蓄冷器１４の位置は、膨張寒冷発生空間４３で作動ガスが膨張した状態を示している。次に、縮んだ状態のコイルばね１５が復元力で伸びて蓄冷器が紙面下方向に移動し、膨張寒冷発生空間４３の例えば圧力１MPaの作動ガスは、低温ガス連通孔１６から蓄冷器１４内の積層された銅網の蓄冷材１３と熱交換しながらほぼ常温に加温されて常温ガス連通孔１７から蓄冷器１４外に排出され、断熱膨張冷凍部作動ガスの給排気孔１１、導管１２を通じて吸引工程の常温圧縮機部２１に吸引される。
【００３６】
次に、常温圧縮機部２１が圧縮工程に進むと加圧圧縮され、空冷ファン４０で除熱された圧力２MPaの高圧作動ガスが、導管１２、給排気孔１１を通じて常温ガス連通孔１７から蓄冷器１４内に供給され、蓄冷材１３と熱交換しながら冷却されて低温ガス連通孔１６から狭くなった張寒冷発生空間４３に流入するとともに、伸びきった状態のコイルばね１５が復元力で縮み始め、蓄冷器１４内の高圧の作動ガスが膨張寒冷発生空間４３に流入しながら、コイルばね１５が縮きった、すなわち張寒冷発生空間４３が最大の状態になった状態で、常温圧縮機部２１が低圧状態の吸引工程になり、高圧の作動ガスした充満した空間が高圧から低圧に断熱膨張する。この状態で説明のはじめの状態に戻る。この工程を連続的に繰り返し、冷却ステージ２３が徐々に冷却され、冷凍機９の定常状態において収納容器５は例えば液体窒素温度に冷却される。
【００３７】
また、保冷用断熱容器の内筒容器３０と挿入用断熱容器１９との隙間は、発泡ポリスチレン等の断熱用の円筒体４４を配置し、前記隙間に存在する空気等の対流やガスの熱伝導で、大気側から熱侵入が増加することを防止している。
【００３８】
本実施例での凍結細胞の輸送の手順は、予め簡易冷凍機一体型保冷容器の冷凍機９を運転して、空の収納容器５の温度を凍結細胞の質を担保できる所定の温度まで冷却する。次に、別途液体窒素中に保存しておいた凍結細胞液２を有するカプセル４の液体窒素中からの取り出し準備を終了し、冷凍機９を運転したままの状態で挿入用断熱容器１９を大気中に取り出して直ぐにカプセル４を収納容器５に挿入し、その後直ぐに、挿入用断熱容器１９を内筒容器３０内に挿入し、締め付けナット３２で締め付け、拘束リング３４で挿入用断熱容器１９で気密固定し、内筒容器３０の大気側フランジ２０に、ボルト（図示せず）等で、機械的に支持固定する。
【００３９】
輸送中は、蓄電器４１の電源で冷凍機２１、ファン４０を運転し、収納容器５の温度を所定の温度に冷却維持する。保冷用断熱容器２８は、真空断熱されているので収納容器５への大気側からの輻射熱による熱侵入は微量であり、また、内筒容器３０の大気側からの伝導伝熱による熱侵入量も内筒容器３０の深さを深くすること、内筒容器３０の円筒肉厚を０．５ｍｍ程度に薄くすることにより低く抑えることができ、冷凍機の少ない消費電力での運転で、所定の温度に収納容器５を冷却できる。
【００４０】
また、輸送作業を行う際は、真空ポンプ２７、３７から真空弁２６、３６を閉じて簡易冷凍機一体型保冷容器１を分離する、輸送目的場所に輸送した後は、冷凍機２１、ファン４０を運転したままで、挿入用断熱容器１９を、保冷用断熱容器２８の内筒容器３０から抜出し、カプセル４を収納容器５から取り出し、目的地の液体窒素槽の液体窒素中に素早く移し、輸送を終了する。
【００４１】
また、大気に開放される内筒容器３０に挿入用断熱容器１９が挿入されるように、内筒容器３０を下側から移動させ、締め付けナット３２を巻き締めて締め付けリング３４で内筒容器３０内を大気と密閉状態にした後、冷凍機の運転停止等のトラブルで内筒容器３０内の残留ガスが熱膨張して圧力が上昇するリスクを避けるため、内筒容器３０と大気とを導通する圧力放出孔４５を設け、配管４６と自動圧力調整弁４７を設置し、所定の圧力に上昇した場合、自動圧力調整弁４７が開放されガスが大気側に放出されて、内筒容器３０内の圧力を低減する。
【００４２】
本実施例の簡易冷凍機一体型保冷容器１では、凍結細胞が保存されたカプセル４を冷凍機９で冷却輸送する際に、冷凍機９で凍結細胞の質を担保できる所定の温度以下にカプセル４の収納容器５を大気に露出しつつ、周りにカプセル４の収納、取出し作業に障害となる障害物がない状態で冷却できるので、カプセル４を常時冷却保管している液体窒素槽や低温冷凍庫から大気内に取出し、輸送のために収納容器５に短時間で収納し、短時間で取出せるので、収納容器５が大気中に曝されている際も、温度上昇を防止でき、収納容器内のカプセル４の温度を、所定の温度以下に冷却することができ、凍結細胞の質を担保できる簡易冷凍機一体型保冷容器１を提供できる効果がある。
【００４３】
また、挿入用断熱容器１９は保冷用断熱容器２８より小さくでき、保冷用断熱容器２８も単純な真空容器構造であるので、真空容器の製造コストが低減でき、低コストの簡易冷凍機一体型保冷容器１を提供できる効果がある。
【００４４】
また、保冷用断熱容器２８は、市販されている金属製魔法瓶を流用でき、これにより保冷用断熱容器２８の製造コストが大幅に低減でき、低コストの簡易冷凍機一体型保冷容器１を提供できる効果がある。また、保冷用断熱容器２８として、真空断熱の代わりに発泡スチロール等の断熱材で保冷用断熱容器２８の外観、内観の形状を同一に作成し、フランジ部３１、締付けナット３２を例えばプラスチックで製作し、前記発泡スチロールと接着接合した断熱容器を構成すれば、低コストで、かつ軽量な簡易冷凍機一体型保冷容器１を提供できる効果がある。
【００４５】
[実施例２]
【００４６】
次に、本発明の第２実施例について図２を用いて説明する。図２は本発明の簡易冷凍機一体型保冷容器の構成図である。
【００４７】
この第２実施例の簡易冷凍機一体型保冷容器１では、熱伝導体２２を無くし、冷凍機９の断熱膨張冷凍部１０の冷却ステージ２３と取付け支持台８を、銅網２４を解して半田付け等で熱的に一体化され、断熱膨張冷凍部１０の常温部を含めて挿入用断熱容器内底部に配置し、作動ガスが流動する配管１２と断熱膨張冷凍部１０の給排気孔１１は断熱空間５０に配置された導管４８で導通している。
【００４８】
なお、断熱膨張冷凍部１０は熱伝導率の小さな例えばプラスチック製のスペーサ４９で、挿入用断熱容器１９内面から径方向を支持されている。
【００４９】
また、挿入用断熱容器１９の断熱空間５０において、断熱膨張冷凍部１０の周りに積層断熱材５１を巻き付け、低温部への輻射熱の侵入を防止している。
【００５０】
本構成によれば、断熱膨張冷凍部１０を挿入用断熱容器１９の断熱空間５０内奥に配置するので、冷却ステージ２３を取付け支持台８の直近まで近づけられ、取付け支持台８を冷凍機の冷却ステージ部２３に短尺の銅網２４を介して熱的に一体化できるので、熱伝導体による熱抵抗を更に小さくでき、収納容器５の温度が更に小さくなり、凍結細胞の質を担保できる性能をさらに向上できる簡易冷凍機一体型保冷容器を提供することが可能となる。
【００５１】
また、断熱空間５０の紙面上部は常温の配管４８が収納されるので、断熱の必要が無く、真空断熱の代わりに残留ガスの対流による冷却ステージ２３への熱侵入を防ぐための発泡スチロール等の断熱材を断熱空間５０の紙面上部に充填することにより、真空排気なしで断熱できるので、真空ポンプを準備する必要が無く、低コストの簡易冷凍機一体型保冷容器１を提供できる効果がある。
【００５２】
[実施例３]
【００５３】
次に、本発明の第３実施例について図３を用いて説明する。図３は本発明の簡易冷凍機一体型保冷容器の構成図である。この第３実施例の簡易冷凍機一体型保冷容器１は、挿入用断熱容器１９を紙面下側に上向きで固定し、カプセルの出し入れ際に、保冷用断熱容器２８を鞘のように挿入用断熱容器１９に上部から装脱着できる構造である。
【００５４】
本構成では、保冷用断熱容器２８を挿入用断熱容器１９に鞘のように上部から装脱着でき、かつ、取り外した保冷用断熱容器２８の底部は下向きで常温であるため、取り外した保冷用断熱容器２８をそのままの姿勢で例えば床や机の上にフランジを下にして置け、さらには、ゴムやジェル状のマットの上に置けば、フランジ面で気密性が保持でき、保冷用断熱容器２８の内部の低温部への霜付きを最小限に抑えることができる。
【００５５】
したがって、本実施例によれば、収納容器５へのカプセル４の挿入や、取り出しの際に両手がフリーとなり、更に素早く短時間にカプセル４の出し入れが可能となる。また、収納容器５を覆うように、大気の対流防止用の例えば海綿状のポリイミド製や発泡スチロール製の対流防止カバー５２をカプセル４収納後に素早く被せることで、大気に露出された収納容器５の温度が上昇することを防止し、その後、素早く保冷用断熱容器２８を上部から装着できるので、空気の混入を最小限にでき、大量の氷が着氷することを防止できる。
【００５６】
なお、ポリイミド製の対流防止カバーは５２海綿状であるため、本体の体積の約９７％が空気であり、熱容量が小さく、収納容器５の数℃の上昇分の熱容量で同温度に冷却できかつ、その温度上昇分は冷凍機９の寒冷で短時間に冷却できるので、カプセル４の温度は上昇しない。
【００５７】
したがって、本実施例では、収納容器５が架台３９で間接的に支持されているので手で保持する必要が無く、カプセル４の装脱着両手で更に短時間に実施することが可能となり、収納中のカプセル４の温度上昇を最小限に抑えることができる効果がある。
【００５８】
[実施例４]
【００５９】
次に、本発明の第４実施例について図４を用いて説明する。図４は本発明の簡易冷凍機一体型保冷容器の構成図である。この第４実施例の簡易冷凍機一体型保冷容器１は、空冷ファン４０の排気口５３を架台３９壁に設け、プラスチック製や発泡スチロール製の壁５４で保冷用断熱容器２８等を覆い、常温圧縮機部２１を冷却し温度が大気温度を超えて上昇した空気を、図中矢印に示すように排気口５３から、空間５５に導き、下部の排気口５６から簡易冷凍機一体型保冷容器１外に排出される構造である。
【００６０】
本構成では、保冷用断熱容器２や挿入用断熱容器１９の断熱性能が経年劣化してそれぞれの容器面が劣化前の温度より冷えた場合においても、大気温度より高い空気を空間５５内に送風できるので、本実施例では、保冷用断熱容器２や挿入用断熱容器１９が大気と接する面に大気中の水分が結露することを防止し、架台３９の底部が水分で濡れることを防止できる効果がある。
【００６１】
以上の実施例では、取付け支持台８に熱的に一体化する被冷却体が、収納容器５およびそれに内蔵される冷凍細胞を内蔵したカプセルである場合について説明したが、被冷却体が超電導バルク体、凍結治療用の低温物体等であっても、所定の温度に保持する冷却保持効果として、同様な効果が生じる。
【００６２】
また、以上の実施例では、冷凍機として蓄冷器が運転中に移動するスターリング式冷凍機を適用した場合について説明したが、他方式の冷凍機であるギフォード・マクマホン型冷凍機、ソルベイ式冷凍機、パルス管式冷凍機を適用しても、同様な効果が生じる。
【００６３】
以上、本発明になる簡易冷凍機一体型保冷容器によれば、冷凍機を使用して細胞の質を担保できる冷凍温度以下で凍結細胞を冷却輸送でき、かつ操作性に優れ、製造コストが安価な、簡易冷凍機一体型保冷容器を提供することができる効果がある。
【符号の説明】
【００６４】
１…簡易冷凍機一体型保冷容器、２…細胞保存液、４…カプセル、５…収納容器、８…取付け支持台、９…冷凍機、１０…断熱膨張冷凍部、１２…導管、１３…蓄冷材、１４…蓄冷器、１９…挿入断熱容器、２１…常温圧縮機部、２２…熱伝導体、２３…冷却ステージ、２４…銅網、２８…保冷用断熱容器、２９…外筒容器、３０…内筒容器、３２…締付けナット、３４…締付けリング、４０…空冷ファン、４１…蓄電器、４３…膨張寒冷発生空間
【図１】
2015017792.tif 000003
【図２】
2015017792.tif 000004
【図３】
2015017792.tif 000005
【図４】
2015017792.tif 000006